(57)【要約】【課題】灰を用いなくても異なる太さの線香・異なる径の線香束でも線香立に対して片手で簡単に垂直に保持し線香の燃え残りを容易に取り出すことができる上、取手・ローソク立などを線香立に脱着も可能となる金属製とすることで、台座付線香立以外に今までにないデザインの線香立の母体と成る線香立を提供する。【解決手段】板に下穴をあけてラッパ状に押し出し成型加工した複数個の線香挿入孔を施した天板１ａの裏に、Ｖ溝を有した線香ガイド保持プレート２ａを垂設して、そのＶ溝に線香を押し付けるバネ体３ａをそれぞれに備えた線香立とする。又、天板１ａにスリット穴を施し、その穴に取手ピン４を差し込んで、取手ピン４のほぞ部で天板１ａを挟んで固定するスナップ式で、取手ピン４を脱着可能とした線香立とする。【選択図】図１
0003146480.tif 000002
【実用新案登録請求の範囲】
【請求項１】
板に下穴をあけてラッパ状に押し出し成型加工した線香挿入孔と取手ピン４の脱着用スリット穴を施した天板１ａの裏に、Ｖ溝を有した線香ガイド保持プレート２ａを垂設して、そのＶ溝に線香を押し付けるバネ体３ａを備えたことを特徴とする線香立。
【請求項２】
天板１ｂに、上部がラッパ状で下部に線香束を押し付けるための開口と線香束の受けと排出口となる回転開閉する蓋４ｂの付いた筒状の線香束ガイド２ｂと取手ピン４の脱着用スリット穴を設け、線香束ガイド２ｂの開口部より線香束を線香束ガイド２ｂの内面に押し付けるバネ体３ｂを備えたことを特徴とする線香束立。
【考案の詳細な説明】
【技術分野】
【０００１】本発明は、線香の転倒を防ぐ線香立に関するものである。
【背景技術】
【０００２】線香の一端のごくわずかな部分をクリップ構造にて、灰収納部を設けた線香立てに挟着し、前面に装飾を施した化粧板を設けた基台に装着する線香立て具がある。（特許文献１）【０００３】上面に開口する下側容器の上記開口に載置される線香立て本体に、上下に貫通して開口する開口部が設けられ、上記開口部に、線香を挟持するスライド部材を設けるように構成した線香立て具がある。（非特許文献１）【０００４】線香立台の内部に、細いカール状のまとまりよりなる線香埋込部材を均等に配置し、その上に、線香通過孔のある線香保持枠を設けたことを特徴とする線香立て具がある。（非特許文献２）
【特許文献１】登録実用新案第３０７３１７５号
【非特許文献１】特許公開平１１−２２５８７４
【非特許文献２】特許公開平１１−１２８０５８
【考案の開示】
【考案が解決しようとする課題】
【０００５】クリップ構造からなる挟着部に線香の一端１０ミリ程を挟み込んで数本の線香を立てる場合、一度にセットしなくてはいけない上、両手を必要とし効率良く立てられないことに加え、線香の太さの誤差及び、ゴミ等を加味して、全ての線香を確実に保持するには、線香保持部にも弾性体が必要だが、太陽光・風雨・線香の燃焼熱で変形・硬化しない柔らかな弾性体を必要とする。【０００６】開口部に、線香を挟持するスライド部材を設けるように構成した線香立においては、クリップ構造からなる線香立と同様の問題点と、スライド部分に灰及びゴミ等の入り込みにより不具合が起こりやすい。又、開口部に対して数本の線香を片寄って保持した場合、スライド部材が対応できるようにするには精工で複雑な構造を必要とするため、スライド部分のメンテナンスが面倒となる。【０００７】細いカール状のまとまりよりなる線香埋込部材に線香を差す際、線香を指先で少し転がすように動かしなお、線香を前後左右に少し振りながらでないとうまく挿入できず垂直に立つ位置を探さなければならない上、カール状の内部に入り込んだ灰等を取り除く際、叩き突ける様にするとか揉み洗いなどすると形が崩れるため、圧縮ガスとか水圧を使用しないといけない。【０００８】線香を挿通しやくするため、金属等の天板に各線香挿通孔の孔面上縁に面取りを設けた場合、面取り部底と挿通孔の下部が角張っており、傾けて線香を挿通した際に、角部が引っかかり挿入しにくく、角部で応力が集中し線香が折れやすい。【０００９】香炉内に入れて使用する線香立において、掃除の際取り出し難い上、手が汚れるのに、取手付の線香立が見当たらない。【００１０】ローソク立などを、線香立に脱着を可能にしたものが見当たらない。【００１１】線香束を、直立保持できる線香立が見当たらない。【００１２】本発明は、灰を用いなくても異なる径の線香でも線香立に対して簡単に片手で垂直に挿入保持することができ多少の振動・揺れにも耐え保持することができるため、台座付線香立以外に浮かべた船に載せた線香立・回転する線香立・ブランコする線香立と今までにないデザインの線香立の母体を提供することを目的とする。
【課題を解決するための手段】
【００１３】線香挿通孔の成型・耐熱性を考慮して天板１ａは金属製とし、板に下穴をあけてラッパ状に押し出し成型加工をした線香挿入孔を施すことにより、下穴の切断面は下方となり、孔面上縁はラッパ状となるので線香はスムーズに挿入できる上、接触してもＲ面で応力集中を多少分散するため線香が折れにくい挿通孔が施される。【００１４】異なる太さの線香が前後左右に振れなくするためにＶ溝に線香を押し付けた構造体とし耐熱性も必要なので、Ｖ溝を施した線香ガイド保持プレート（以後、線香ガイド）２ａは金属製とし、天板１ａの各線香挿入孔に対して、線香を保持した時に線香が挿入孔に接触しない位置で天板１ａの裏面に溶接等にて垂設する。【００１５】線香の保持には、線香ガイド２ａのＶ溝に線香を弾性体で押し付けるのだが、単純な構造とする・耐熱性・耐久性・挿入時の反発力・撓み量・保持力を考慮してばね体３ａはバネ用ステンレス鋼帯の薄板を利用する。【００１６】取手ピン４は、不必要な時も考えられるので、脱着可能な取手とするため、金属またはプラスチック製とし、弾性を持たせるためＵの字の切板状で、Ｕの字開口端部に天板（１ａ，１ｂ）の板厚分のほぞを施し、天板１ａにスリット穴を設け、そのスリット穴に取手ピン４を差し込んで、ほぞ部で天板（１ａ，１ｂ）を挟み込んでスナップ式で固定できる脱着可能な取手とする。【００１７】天板（１ａ，１ｂ）の裏にめねじスタッド５を溶接すれば、線香立に台座６等を取り付ける際簡単になり、ビスのロック用にナットの使用が考えられるので、取手ピン４がスパナとして使用できるよう、スパナとなる切欠きを取手ピン４の上部に施す。【００１８】ローソク立７は耐熱性を考慮して金属製とし天板（１ａ，１ｂ）と同じスリット穴を設け、取手ピン４は、天板（１ａ，１ｂ）の板厚分とローソク立７の板厚分のほぞを施し、そのスリット穴に取手ピン４を差し込んで、ローソク立７と一緒にスナップ式で天板（１ａ，１ｂ）に固定できる、脱着可能なローソク立７とする。【００１９】線香を垂直に保持する線香立の天板（１ａ，１ｂ））を金属製とすることで、穴・曲げ等の成型加工及び溶接・ビス止め・カシメ等を施し吊り金具・化粧板・パイプ等の埋設が可能となり、さまざまなデザインの線香立が考えられるようになる。【００２０】線香束立の天板１ｂに、上部がラッパ状でその下に線香束を押し付けるための開口を施した筒状の線香束ガイド２ｂと取手ピン４脱着用スリット穴を設け、その開口部より線香束を線香束ガイド２ｂの筒内面に押し付けるバネ体３ｂが天板１ｂの裏又は線香束ガイド２ｂに溶接された線香束立とし、バネ体３ｂがフリーの状態では線香束ガイド２ｂの内部約半分を遮る状態とし、線香束を立てる際は、線香束でバネ体３ｂを押し込むことでバネ体３ｂは反発し、線香束は線香束ガイド２ｂの内面に押し付けられて保持される線香束立とする。【００２１】線香束立の線香束ガイド２ｂの下部には、蓋４ｂとなる切板が回転スライドできるスリット穴が施され、蓋４ｂは線香束ガイド２ｂの側面にピンヒンジ５ｂを施す事により回転開閉して、線香束の差し込みすぎ防止と燃え残り排出口となる蓋４ｂの付いた線香束立とする。
【考案の効果】
【００２２】天板１ａの各線香差込孔の裏にＶ溝を有した線香ガイド２ａを垂設して、そのＶ溝に線香を押し付けるバネ体３ａをそれぞれに備えたことにより、片手で太さの異なる線香でも天板１ａに対して垂直にガイドされて立てられ、線香を挿入すると線香保持部に残っている燃え残りを押し出し、線香立をあらゆる角度に傾けても多少揺らしても線香を保持することができる線香立となった。【００２３】脱着可能な取手ピン４を備えることもできるので、これを利用してローソク立７などを簡単に脱着を可能にした上、金属製品としたことでローソク立７・取手４・めねじスタッド５・台座６付の線香立（図５）以外に、水に浮かべた船に積んだ線香立、回転する線香立、ブランコ式線香立とデザインが豊富に考えられる線香立となった。【００２４】異なる束径の線香束でも短い保持で線香の広がりを抑え、直立させられる線香束立となった。
【考案を実施するための最良の形態】
【００２５】線香立の天板１ａは、錆び・耐熱性・バーリング・溶接歪・重量を考慮してステンレスプレート（以後、ＳＵＳ）板厚１．５ｔとし、下穴直径３．５ミリ・ダイチップ直径４．３ミリ・パンチチップ直径７．４ミリでバーリング加工を施すことで、約半径１．６ミリのラッパ状となり、下穴の切断面はほとんど天板１ａ面に対して平行となり、線香はスムーズに挿入でき接触面がラッパ状のため応力集中が多少分散され線香が折れにくい複数個の線香挿入孔を備える。【００２６】Ｖ溝を有しＬ曲げを施した線香ガイド２ａはＳＵＳ板厚２．０ｔでＶ溝は９０度・深さ１．５ミリを施し、その線香ガイド部の長さが１５ミリのＬ曲げを施した線香ガイド２ａは、天板１ａの各線香挿入孔に対して、線香を保持した時に線香が挿入孔に接触しない位置で天板１ａの裏面に溶接にて垂設する。【００２７】線香ガイド２ａの各Ｖ溝に線香を押し付けるバネ体３ａは、バネ用ステンレス鋼帯の曲げ加工品で、板ばね部の長さは約１０ミリと端曲げ分・板厚約０．２ｔ・板巾約５ミリとし、曲げ角度は約１１３度・曲げＲ約３ミリ・撓み量０．２ミリ程度で十分な保持力と線香挿入時適度な反発力を確保できる。【００２８】線香ガイド２ａの各Ｖ溝に線香を押し付けるバネ体３ａは、線香ガイド２ａとバネ体３ａの線香を押し付ける部分が０．５ミリ程度の隙間で天板１ａの裏に溶接にて設ける。【００２９】取手ピン４は、ＳＵＳ板厚１．５ｔで、板巾１２ミリ・長さ６２ミリ程度にＵの字（巾２ミリ・長さ５０ミリ）の切込みと、上部にくびれ（片側板巾残し２ミリ・くびれ長さ３ミリ）と、下部に天板（１ａ，１ｂ）の板厚（１．５ミリ）分のほぞ（深さ０．８ミリ）と、ほぞ下８ミリをスリット穴に差し込み易くするため７度勾配に切り欠きした板でＺ型曲げ加工（曲げ角度１３５度）を施したものとし、天板（１ａ，１ｂ）に、スリット穴（巾１．５ミリ・長さ１０．４ミリ）を施しその穴に取手ピン４を差し込んで、ほぞ部分で天板（１ａ，１ｂ）を挟んで固定するスナップ式で、脱着可能な取手ピン４とする。【００３０】ローソク立７は錆び・耐熱性・脱着を考慮してＳＵＳで、天板（１ａ，１ｂ）と同じスリット穴を設け、取手ピン４は、天板（１ａ，１ｂ）の板厚分とローソク立７の板厚分のほぞを施しそのスリット穴に取手ピン４を差し込んで、ローソク立７と一緒にスナップ式で天板（１ａ，１ｂ）に固定できる脱着可能なローソク立７とする。【００３１】天板（１ａ，１ｂ）の裏にめねじスタッド５を溶接し、ドーナツ型のＳＵＳ切り板に皿穴を施した台座６を皿ビス・ナットにて取り付けると、ビスの締め加減とビスの長さの交換よって高さ調整可能な台座６付の線香立となる。【００３２】台座６を固定するのに、ビスのロック用にナットの使用が考えられるので、取手ピン４がスパナとして使用できるようにするため、取手ピン４の上部にスパナとなる切欠きを施す。【００３３】線香束立の天板１ｂは錆び・耐熱性・溶接歪・重量を考慮してＳＵＳ板厚１．５ｔとし、取手ピン４の脱着用スリット穴（巾１．５ミリ・長さ１０．４ミリ）と線香束ガイド２ｂが差し込める穴（直径２７．２ミリ）を施す。【００３４】線香束ガイド２ｂはＳＵＳ板厚約１．０ｔ・直径２７．２ミリとし、上部をラッパ状に成型し全長３５ミリ程度として、上部より下約１０ミリに線香束を押し付けるバネ体３ｂを通す角穴（縦３ミリ・横１０ミリ程度）と下部より３ミリ程度上に蓋４ｂの板厚で半円分のスリット穴を施し、そのスリット穴に入れる蓋４ｂは線香束ガイド２ｂの側面にピンヒンジ５ｂを施すことにより回転開閉して線香束の差し込みすぎ防止と燃え残り排出口となり、天板１ｂに差し込んで溶接固定する。【００３５】線香束ガイド２ｂの角穴より線香束を押し付けるバネ体３ｂは、バネ用ステンレス鋼帯の曲げ加工品で、線香束のすべりが良く安定して保持するためフローチャート：記憶データ型で湾曲させた線香束押え部は、バネ体３ｂがフリーの状態では線香束ガイド２ｂの内部約半分を遮る状態とし、線香束を立てる際は、線香束で線香束押え部を押し込むことでバネ体３ｂは反発し、線香束を線香束ガイド２ｂの内面に押し付けて保持するよう線香束ガイド２ｂの側面に溶接固定する。
【実施例】
【００３６】試作として、Ｖ溝を有しＬ曲げを施した線香ガイド保持付天板１ｃと、線香挿入口となるＵカットを有しＬ曲げを施した線香挿入口付天板２ｃを溶接にて一体化しバネ体３ａを備えた線香立の場合、Ｖ溝が上面まで伸びているので線香を挿入する際、目標が定めやすく挿入し易いのだが、Ｌ曲げ同士を合わせた継ぎ目ができる。【００３７】線香ガイド２ａのＶ溝９０度・深さ０．７５ミリで線香径２．０ミリを挿入テストした時、Ｖ溝に沿わずに挿通することもあり、意外とＶ溝は深くなければ線香を安定してガイドしてくれない。【００３８】試作線香束立で天板１ｂに、上部がラッパ状で下部に線香束を引き付けるための開口を施し底に蓋４ｄが溶接された筒状の線香束ガイド２ｄを持ち、その開口部より線香束を線香束ガイド２ｄの内面に引き付ける輪を有したバネ体３ｄが線香束ガイド２ｄの底蓋４ｄに溶接された線香束立とし、バネ体３ｄの輪がフリーの状態では線香束ガイド２ｄの内部を遮る状態とし、線香束を立てる際は、バネ体３ｄを線香束ガイド２ｄと摘むことでバネ体３ｄの輪が線香束ガイド２ｄの内面に沿い線香束を差し込める状態となりバネ体３ｄをフリーにすると線香束ガイド２ｄの内面に線香束を引き付け保持する線香束立てとした場合、線香束の保持はしっかりしているが線香束を立てる時、両手が必要となる。
【産業上の利用可能性】
【００３９】本発明は、線香立を製造販売する産業分野で利用することができる。
【図面の簡単な説明】
【００４０】
【図１】線香立のＡ矢視断面図である。
【図２】線香立の平面図である。
【図３】線香立の正面図である。
【図４】線香ガイド２ａ、バネ体３ａ、取手ピン４の部品分解斜視図である。
【図５】本考案の実施例を示す線香立の斜視図である。
【図６】線香束立のＢ矢視断面図である。
【図７】線香束立の平面図である。
【図８】線香束立のＣ矢視断面図である。
【図９】本考案の実施例を示す試作線香立の斜視図である。
【図１０】本考案の実施例を示す試作線香束立の縦断面図である，
【図１１】試作線香束立の輪を有したバネ体３ｄの部品斜視図である。
【符号の説明】
【００４１】１ａ  天板
２ａ  線香ガイド
３ａ  バネ体
４    取手ピン
５    めねじスタッド
６    台座
７    ローソク立
１ｂ  天板
２ｂ  線香束ガイド
３ｂ  バネ体
４ｂ  蓋
５ｂ  ピンヒンジ
１ｃ  線香ガイド保持付天板
２ｃ  線香挿入口付天板
２ｄ  線香束ガイド
３ｄ  輪を有したバネ体
４ｄ  底蓋
【図１】
0003146480.tif 000003
【図２】
0003146480.tif 000004
【図３】
0003146480.tif 000005
【図４】
0003146480.tif 000006
【図５】
0003146480.tif 000007
【図６】
0003146480.tif 000008
【図７】
0003146480.tif 000009
【図８】
0003146480.tif 000010
【図９】
0003146480.tif 000011
【図１０】
0003146480.tif 000012
【図１１】
0003146480.tif 000013